(57)【特許請求の範囲】
【請求項１】
基板と、
前記基板上に位置する第１電極と、
前記第１電極上に位置する有機層と、
前記有機層上に位置する有機発光層と、
前記有機発光層上に位置する第２電極と、を含み、
前記有機発光層は赤色発光層、緑色発光層、及び青色発光層を含み、
前記青色発光層と前記有機層の間にのみ半透過層を有することを特徴とする有機発光表示装置。
【請求項２】
前記有機層、前記半透過層及び前記有機発光層を合計した厚さは１０００Å乃至３０００Åであることを特徴とする請求項１に記載の有機発光表示装置。
【請求項３】
前記有機発光層の厚さは６００Å乃至８００Åであることを特徴とする請求項１または２に記載の有機発光表示装置。
【請求項４】
前記第１電極は正極であり、
前記有機層は前記半透過層と隣接する第１正孔注入層を含み、
前記有機発光層は前記半透過層と隣接する第２正孔注入層をさらに含むことを特徴とする請求項１〜３のいずれか一つに記載の有機発光表示装置。
【請求項５】
前記半透過層は金属を含むことを特徴とする請求項１〜４のいずれか一つに記載の有機発光表示装置。
【請求項６】
前記半透過層はアルミニウム（Ａｌ）、銀（Ａｇ）、カルシウム（Ｃａ）、カルシウム銀（ＣａＡｇ）、マグネシウム銀（ＭｇＡｇ）及びアルミニウム銀（ＡｌＡｇ）のうち一つ以上を含むことを特徴とする請求項５に記載の有機発光表示装置。
【請求項７】
前記第１電極は光反射性を有し、
前記第２電極は光半透過性を有することを特徴とする請求項１〜６のいずれか一つに記載の有機発光表示装置。
【発明の詳細な説明】
【技術分野】
【０００１】
本発明は有機発光表示装置に関し、より詳しくは、半透過層を含む有機発光表示装置に関する。
【背景技術】
【０００２】
表示装置はさまざまな画像（イメージ）を表示する装置であって、最近、有機発光表示装置（ｏｒｇａｎｉｃ  ｌｉｇｈｔ  ｅｍｉｔｔｉｎｇ  ｄｉｏｄｅ  ｄｉｓｐｌａｙ）が注目されている。
【０００３】
従来の有機発光表示装置は、有機発光素子（ｏｒｇａｎｉｃ  ｌｉｇｈｔ  ｅｍｉｔｔｉｎｇ  ｄｉｏｄｅ）を有する第１基板、及び第１基板と対向配置されて第１基板の有機発光素子を保護する第２基板を含む。有機発光素子は光を発光する有機発光層と有機発光層を間において相互対向する第１電極及び第２電極を含む。
【０００４】
従来の有機発光表示装置として、有機発光素子から発光された光が第２基板方向に照射される前面発光型、有機発光素子から発光された光が第１基板方向に照射される後面発光型及び有機発光素子から発光された光が第１基板及び第２基板方向に照射される両面発光型があった。
【０００５】
この中で、前面発光型の有機発光表示装置の有機発光素子は、第１電極が光反射性であり、第２電極が光半透過性である構造を有するが、このような前面発光型の有機発光表示装置は共振構造（ｍｉｃｒｏ  ｃａｖｉｔｙ  ｓｔｒｕｃｔｕｒｅ）を形成するようになる。
【０００６】
このような共振構造は一種のカラーフィルター（ｃｏｌｏｒ  ｆｉｌｔｅｒ）効果を実現し、各有機発光層が発光する赤色、緑色または青色などの各光の光効率を向上させる役割を果たす。これにより、赤色、緑色または青色などの各光を発光する各々の有機発光層の厚さはいかなる厚さでもいいわけではなく、各有機発光層が発光する光が有する色の波長に適合するように厚さが一定に定められる。
【０００７】
しかし、有機発光層が発光する光が有する色の波長に適合するように有機発光層の厚さが薄く定められた場合、第１電極の表面状態または第１電極に位置するパーティクル（ｐａｒｔｉｃｌｅ）によって有機発光層が発光する光に暗点（ｄａｒｋ  ｓｐｏｔ）が生じる問題があった。
【先行技術文献】
【特許文献】
【０００８】
【特許文献１】大韓民国公開特許第１０−２００７−００８７７７３号公報
【発明の概要】
【発明が解決しようとする課題】
【０００９】
本発明は前述した問題を解決するためのものであって、本発明の目的は、有機発光層が発光する光の光効率を向上すると同時に、有機発光層が発光する光に生じる暗点を最小化できる有機発光表示装置を提供することである。
【課題を解決するための手段】
【００１０】
前述した技術的課題を達成するための本発明の一側面は、基板、前記基板上に位置する第１電極、前記第１電極上に位置する有機層、前記有機層上に位置する有機発光層、及び前記有機発光層上に位置する第２電極を含み、前記有機発光層は赤色発光層、緑色発光層、および青色発光層を含み、前記青色発光層と前記有機層の間にのみ半透過層を有する有機発光表示装置を提供する。
【００１１】
前記有機層、前記半透過層及び前記有機発光層を合計した厚さは１０００Å乃至３０００Åであってもよい。
【００１２】
前記有機発光層は青色（ｂｌｕｅ）光を発光する主発光層を含んでもよい。
【００１３】
前記有機発光層の厚さは６００Å乃至８００Åであってもよい。
【００１４】
前記第１電極は正極（ａｎｏｄｅ）であり、前記有機層は前記半透過層と隣接する第１正孔注入層を含み、前記有機発光層は前記半透過層と隣接する第２正孔注入層をさらに含んでもよい。
【００１５】
前記半透過層は金属を含んでもよい。
【００１６】
前記半透過層は、アルミニウム（Ａｌ）、銀（Ａｇ）、カルシウム（Ｃａ）、カルシウム銀（ＣａＡｇ）、マグネシウム銀（ＭｇＡｇ）及びアルミニウム銀（ＡｌＡｇ）のうちの一つ以上を含んでもよい。
【００１７】
前記第１電極は光反射性であり、前記第２電極は光半透過性を有してもよい。
【発明の効果】
【００１８】
前述した本発明によると、有機発光層が発光する光の光効率を向上すると同時に、有機発光層が発光する光に生じる暗点を最小化できる有機発光表示装置が提供される。
【図面の簡単な説明】
【００１９】
【図１】本発明の実施形態に係る有機発光表示装置を示した断面図である。
【図２】本発明の実施形態に係る有機発光表示装置の画素の構造を示した配置図である。
【図３】図２のＩＩＩ−ＩＩＩ線に沿って切断して示した断面図である。
【図４】本発明の実施形態に係る有機発光表示装置の主要構成要素を示した断面図である。
【図５】有機発光層から発光する光の波長に応じて共振効果が具現される有機発光層の厚さを示した図表である。
【図６】有機発光層の厚さにより有機発光層が発光する光に生じる暗点の増加率を示したグラフである。
【図７】本発明の実験例に係る有機発光表示装置における主要構成要素を示した断面図である。
【発明を実施するための形態】
【００２０】
以下、添付の図面を参照して、本発明の実施形態について本発明が属する技術分野において通常の知識を有する者が容易に実施できるように詳細に説明する。本発明は多様な形態で実施でき、ここで説明する実施形態に限定されるものではない。  本発明を明確に説明するために説明上不要な部分は省略し、明細書全体にわたって同一または類似する構成要素については同一する参照符号を付与するようにする。
【００２１】
また、図面に示した各構成のサイズ及び厚さは説明の便宜のために任意に示したため、本発明が必ずしも示されたとおりとは限らない。
【００２２】
図面において複数の層及び領域を明確に表現するために厚さを拡大して示した。また、図面において説明の便宜のため、一部の層及び厚さを誇張して示した。層、膜、領域、板などの部分がある部分の「上」にあるという時、これはある部分の「直上」にある場合だけでなく、その中間にさらに他の部分がある場合も含む。
【００２３】
また、明細書全体において、ある部分がある構成要素を「含む」という時、これは特に反対となる記載がない限り、他の構成要素を除くのではなく、他の構成要素をさらに含むことができることを意味する。また、明細書全体において、「〜上に」ということは、対象の部分の上または下に位置することを意味し、必ずしも重力方向を基準に上側に位置することを意味するものではない。
【００２４】
また、添付の図面においては、一つの画素に二つの薄膜トランジスタ（ｔｈｉｎ  ｆｉｌｍ  ｔｒａｎｓｉｓｔｏｒ、ＴＦＴ）と一つのキャパシタ（ｃａｐａｃｉｔｏｒ）を備えた２Ｔｒ−１Ｃａｐ構造のアクティブマトリックス（ａｃｔｉｖｅ  ｍａｔｒｉｘ、ＡＭ）型有機発光表示装置を示しているが、本発明がこれに限定されるのではない。従って、有機発光表示装置は一つの画素に三つ以上の薄膜トランジスタと二つ以上のキャパシタを備えてもよく、別途の配線がさらに形成されて多様な構造を有するように形成してもよい。ここで、画素は画像を表示する最小単位を意味し、有機発光表示装置は複数の画素を介して画像を表示する。
【００２５】
以下、図１乃至図５を参照して本発明の実施形態に係る有機発光表示装置について説明する。
【００２６】
図１は本発明の実施形態に係る有機発光表示装置の断面図である。
【００２７】
図１に示したように、本発明の実施形態に係る有機発光表示装置は、第１基板１００、第２基板２００、配線部３００、有機発光素子４００及びシーラント５００を含む。
【００２８】
第１基板１００は、ガラス、ポリマー（樹脂）などからなる絶縁性基板、または基材としてステンレス鋼などの金属板（金属箔）を含み、少なくとも配線層が形成される表面をガラスやポリマーなどの絶縁材料で被覆して絶縁性を有するようにした絶縁性基板などである。また、第２基板２００はガラス、ポリマー（樹脂）などからなる絶縁性基板であって、かつ光透過性材質からなる。第１基板１００上には配線部３００及び有機発光素子４００が位置し、第２基板２００は配線部３００及び有機発光素子４００を間において第１基板１００と対向している。第１基板１００と第２基板２００は有機発光素子４００を間においてシーラント５００によって互いに合着密封されており、第１基板１００及び第２基板２００は配線部３００及び有機発光素子４００を外部の干渉から保護する。
【００２９】
配線部３００は第１及び第２薄膜トランジスタ１０、２０（図２に示す）を含み、有機発光素子４００に信号を伝達して有機発光素子４００を駆動する。有機発光素子４００は配線部３００から伝達された信号によって光を発光する。
【００３０】
配線部３００上には有機発光素子４００が位置している。
【００３１】
有機発光素子４００は第１基板１００上に位置し、配線部３００から信号の伝達を受け、伝達された信号によって画像（イメージ（ｉｍａｇｅ））を表示する。
【００３２】
以下、図２及び図３を参照して本発明の実施形態に係る有機発光表示装置の内部構造について詳しく説明する。
【００３３】
図２は本発明の実施形態に係る有機発光表示装置の画素の構造を示した配置図である。図３は図２のＩＩＩ−ＩＩＩ線に沿って切断して示した断面図である。
【００３４】
以下、配線部３００及び有機発光素子４００の具体的な構造は図２及び図３に示しているが、本発明の実施形態が図２及び図３に示された構造に限定されない。配線部３００及び有機発光素子４００は当業者が容易に変形実施できる範囲内において多様な構造で形成されてもよい。例えば、添付の図面においては、有機発光表示装置として、一つの画素に二つの薄膜トランジスタ（ｔｈｉｎ  ｆｉｌｍ  ｔｒａｎｓｉｓｔｏｒ、ＴＦＴ）と一つのキャパシタ（ｃａｐａｃｉｔｏｒ）を備えた２Ｔｒ−１Ｃａｐ構造のアクティブマトリックス（ａｃｔｉｖｅ  ｍａｔｒｉｘ、ＡＭ）型有機発光表示装置を示しているが、本発明はこれに限定されない。従って、表示装置は薄膜トランジスタの数、キャパシタの数、及び配線の数が限定されない。一方、画素はイメージを表示する最小単位を意味し、有機発光表示装置は複数の画素を介してイメージを表示する。
【００３５】
図２及び図３に示したように、有機発光表示装置は一つの画素ごとに各々形成されたスイッチング薄膜トランジスタ１０、駆動薄膜トランジスタ２０、キャパシタ８０及び有機発光素子４００を含む。ここで、スイッチング薄膜トランジスタ１０、駆動薄膜トランジスタ２０及びキャパシタ８０を含む構成を配線部３００という。さらに、配線部３００は、第１基板１００の一方向に沿って配置されるゲートライン１５１、ゲートライン１５１と絶縁交差するデータライン１７１及び共通電源ライン１７２を含む。ここで、一つの画素はゲートライン１５１、データライン１７１及び共通電源ライン１７２を境界として定義されてもよいが、必ずしもこれに限定されるものではない。
【００３６】
スイッチング薄膜トランジスタ１０は、スイッチング半導体層１３１、スイッチングゲート電極１５２、スイッチングソース電極１７３及びスイッチングドレイン電極１７４を含む。駆動薄膜トランジスタ２０は、駆動半導体層１３２、駆動ゲート電極１５５、駆動ソース電極１７６及び駆動ドレイン電極１７７を含む。
【００３７】
スイッチング薄膜トランジスタ１０は、発光させようとする画素を選択するスイッチング素子として使用される。スイッチングゲート電極１５２はゲートライン１５１と連結する。スイッチングソース電極１７３はデータライン１７１と連結する。スイッチングドレイン電極１７４はスイッチングソース電極１７３から離隔配置され、いずれか一つの蓄電板１５８と連結する。蓄電板１５８は、キャパシタ８０を構成する一方の電極であり、蓄電板１７８がこれに対向する他方の電極となる。
【００３８】
駆動薄膜トランジスタ２０は、選択された画素内の有機発光素子４００の有機発光層４４０を発光させるための駆動電源を第２電極４５０に印加する。駆動ゲート電極１５５はスイッチングドレイン電極１７４と連結した蓄電板１５８と連結する。駆動ソース電極１７６及び他の一つの蓄電板１７８は各々共通電源ライン１７２と連結する。駆動ドレイン電極１７７はコンタクトホール（ｃｏｎｔａｃｔ  ｈｏｌｅ）を介して有機発光素子４００の第１電極４１０と連結する。
【００３９】
キャパシタ８０は層間絶縁膜１６１を間において配置された一対の蓄電板１５８、１７８を含む。ここで、層間絶縁膜１６１は誘電体となって、キャパシタ８０で蓄電された電荷と両蓄電板１５８、１７８の間の電圧によってキャパシタ８０の蓄電容量が決定される。
【００４０】
このような構造によって、スイッチング薄膜トランジスタ１０はゲートライン１５１に印加されるゲート電圧によって作動して、データライン１７１に印加されるデータ電圧を駆動薄膜トランジスタ２０に伝達する役割を果たす。共通電源ライン１７２から駆動薄膜トランジスタ２０に印加される共通電圧とスイッチング薄膜トランジスタ１０から伝達されたデータ電圧との差に該当する電圧がキャパシタ８０に貯蔵されて、キャパシタ８０に貯蔵された電圧に対応する電流が駆動薄膜トランジスタ２０を介して有機発光素子４００に流れて有機発光素子４００が発光するようになる。
【００４１】
有機発光素子４００は、第１電極４１０、第１電極４１０上に位置する有機層４２０、有機層４２０上に位置する半透過層４３０、半透過層４３０上に位置する有機発光層４４０及び有機発光層４４０上に位置する第２電極４５０を含む。ここで、半透過層４３０は青色（ｂｌｕｅ）光を発光する有機発光層４４０と対応する画素だけに位置する。
【００４２】
図４は本発明の実施形態に係る有機発光表示装置において主要構成要素を示した断面図である。図４は説明の便宜のために、有機発光表示装置において隣接する画素間に位置する各有機発光素子を構成する構成要素のみを示した。
【００４３】
図４に示したように、第１電極４１０は正孔注入電極である正極（ａｎｏｄｅ）となり、第２電極４５０は電子注入電極である負極（ｃａｔｈｏｄｅ）となる。しかし、本発明の実施形態が必ずしもこれに限定されるものではなく、有機発光表示装置の駆動方法によって第１電極４１０が負極となって、第２電極４５０が正極となってもよい。第１電極４１０及び第２電極４５０から各々正孔と電子が有機発光層４４０内部に注入され、有機発光層４４０内部に注入された正孔と電子が結合した励起子（ｅｘｃｉｔｏｎ）が励起状態から基底状態に落ちる時、有機発光層４４０が発光する。また、第１電極４１０は、アルミニウム（Ａｌ）及び銀（Ａｇ）などのうちの一つ以上を含む単層または複層の光反射性導電物質を含む第１サブ電極４１１、及び第１サブ電極４１１上に位置して酸化インジウムスズ（ｉｎｄｉｕｍ  ｔｉｎ  ｏｘｉｄｅ、ＩＴＯ）等の仕事関数が高い導電物質を含む第２サブ電極４１２を含む。第２電極４５０は有機層４２０、半透過層４３０、有機発光層４４０を間において第１電極４１０と対向し、アルミニウム（Ａｌ）、銀（Ａｇ）、カルシウム（Ｃａ）、カルシウム銀（ＣａＡｇ）、マグネシウム銀（ＭｇＡｇ）及びアルミニウム銀（ＡｌＡｇ）などのうち一つ以上を含む単層または複層の光半透過性導電物質を含む。第１電極４１０は１０００Å乃至２０００Åの厚さを有し、第２電極４５０は５００Å乃至２０００Åの厚さを有する。第１電極４１０上には有機層４２０が位置する。
【００４４】
有機層４２０は第１電極４１０上において、第１電極４１０と半透過層４３０との間に位置している。有機層４２０は半透過層４３０と隣接する第１正孔注入層４２１を含む。第１正孔注入層４２１は第１電極４１０から注入される正孔が有機発光層４４０にスムーズに注入されることを助ける役割を果たす。有機層４２０は２００Å乃至６００Åの厚さを有する。
【００４５】
半透過層４３０は有機層４２０上において、有機層４２０と有機発光層４４０との間に位置している。半透過層４３０は後述する青色（ｂｌｕｅ）光を発光する第３主発光層４４３と対応し、選択的に第３主発光層４４３から発光する青色光の一部は反射して一部は透過させる。半透過層４３０は金属を含み、より詳細には、アルミニウム（Ａｌ）、銀（Ａｇ）、カルシウム（Ｃａ）、カルシウム銀（ＣａＡｇ）、マグネシウム銀（ＭｇＡｇ）及びアルミニウム銀（ＡｌＡｇ）などのうち一つ以上を含む単層または複層の光半透過性導電物質を含む。半透過層４３０は６０Å乃至２０００Åの厚さを有する。
【００４６】
有機発光層４４０は、赤色（ｒｅｄ）光を発光する第１主発光層４４１、緑色（ｇｒｅｅｎ）光を発光する第２主発光層４４２及び青色（ｂｌｕｅ）光を発光する第３主発光層４４３を含む。各々の第１主発光層４４１、第２主発光層４４２及び第３主発光層４４３は、各々の第１電極４１０及び第２電極４５０から注入された正孔と電子が結合して各々の光を発光する層である。
【００４７】
有機発光層４４０は、電子注入層４４４、電子輸送層４４５、第２正孔注入層４４６及び正孔輸送層４４７をさらに含む。
【００４８】
電子注入層４４４及び電子輸送層４４５は、第２電極４５０と第１主発光層４４１、第２主発光層４４２及び第３主発光層４４３の各々の間に位置し、負極の第２電極４５０から注入された電子が第１主発光層４４１、第２主発光層４４２及び第３主発光層４４３にスムーズに注入されることを助ける役割を果たす。
【００４９】
第２正孔注入層４４６及び正孔輸送層４４７は、第１電極４１０と第１主発光層４４１及び第２主発光層４４２の各々の間及び半透過層４３０と第３主発光層４４３との間に位置し、正極である第１電極４１０から注入された正孔が各々の第１主発光層４４１、第２主発光層４４２及び第３主発光層４４３にスムーズに注入されることを助ける役割を果たす。特に、半透過層４３０と第３主発光層４４３との間に位置する第２正孔注入層４４６は半透過層４３０と隣接し、第１電極４１０から第３主発光層４４３に注入される正孔が通る層である。
【００５０】
第３主発光層４４３と対応する有機発光層４４０の第１厚さ（Ｔ１）は６００Å乃至８００Åであり、この範囲のうち第１厚さ（Ｔ１）は第３主発光層４４３が発光する青色光が有する色の波長に適合するように７００Åの厚さを有する。また、第３主発光層４４３と対応する有機発光層４４０、有機層４２０及び半透過層４３０を合計した第２厚さ（Ｔ２）は１０００Å乃至３０００Åの厚さを有する。以上のように、有機発光層４４０が第３主発光層４４３が発光する青色光が有する色の波長に適合するように７００Åの第１厚さ（Ｔ１）を有すると同時に、第３主発光層４４３と対応する有機発光層４４０、有機層４２０及び半透過層４３０を合計した第２厚さ（Ｔ２）が１０００Å以上であることによって、有機発光層４４０が発光する光の光効率及び色再現率が向上すると同時に、有機発光層４４０が発光する光に暗点が生じることを抑制できる。本発明の実施形態に係る有機発光表示装置によってこのような効果が具現される理由については後述する。
【００５１】
図５は有機発光層で発光する光の波長によって共振効果が具現される有機発光層の厚さを示した図表である。
【００５２】
図５に示したように、有機発光層４４０が発光する光の光効率及び色再現率が向上する共振効果を具現するためには、赤色光を発光する第１主発光層４４１を含む有機発光層４４０の厚さは実質的に１３００Åを有することが望ましく、緑色光を発光する第２主発光層４４２を含む有機発光層４４０の厚さは実質的に９５０Åを有することが望ましく、青色光を発光する第３主発光層４４３を含む有機発光層４４０の厚さは実質的に７００Åを有することが望ましい。
【００５３】
これにより、本発明の実施形態に係る有機発光表示装置の有機発光素子４００は、第２基板２００方向に光を放出する前面発光型であり、半透過層４３０は青色光を発光する第３主発光層４４３を含む有機発光層４４０と有機層４２０との間に位置している。
【００５４】
このような構造において、各々の第１電極４１０及び第２電極４５０から各々の正孔及び電子が青色光を発光する第３主発光層４４３に注入されると、第３主発光層４４３は第２電極４５０及び半透過層４３０方向に青色光を発光するが、第３主発光層４４３から第２電極４５０に照射された青色光のうちの一部は第２電極４５０によって反射し、その残りは第２電極４５０を透過する。また、第３主発光層４４３から半透過層４３０に照射されたり、第２電極４５０によって反射されて半透過層４３０に照射される青色光のうちの一部は半透過層４３０によって反射し、その残りは半透過層４３０を透過して第１電極４１０によって反射する。このように、第２電極４５０と半透過層４３０との間に共振構造（ｍｉｃｒｏ  ｃａｖｉｔｙ  ｓｔｒｕｃｔｕｒｅ）が形成され、半透過層４３０と第１電極４１０との間の厚さは共振構造から除外されることによって、第３主発光層４４３から発光される青色光は青色光が有する色の波長に対応する７００Åの第１厚さ（Ｔ１）を有する第３主発光層４４３を含む有機発光層４４０内において共振効果（ｍｉｃｒｏ  ｃａｖｉｔｙ  ｅｆｆｅｃｔ）が具現されるため、有機発光表示装置の光効率及び色再現率が向上する。
【００５５】
一方、図６は有機発光層の厚さにより有機発光層が発光する光に生じる暗点増加率を示したグラフである。
【００５６】
ここでは有機層のうちの正孔輸送層（ＨＴＬ（ｈｏｌｅ  ｔｒａｎｓｐｏｒｔ  ｌａｙｅｒ））の厚さを変えて有機層の総厚さを変えて暗点増加率を計った。各厚さごとに３０個あまりのセルに対して暗点個数をカウンティングした後、セル個数で割って平均暗点増加率とした。
【００５７】
図６に示したように、第１電極４１０と第２電極４５０との間に位置する発光層（ＥＬ層）が発光する光に生じる暗点（ｄａｒｋ  ｓｐｏｔ）は、発光層（ＥＬ層）が１０００Å以上の厚さを有する場合に顕著に減少することが確認できた。
【００５８】
そこで、本発明の実施形態に係る有機発光表示装置は、第３主発光層４４３と対応する有機発光層４４０、有機層４２０及び半透過層４３０を合計した第２厚さ（Ｔ２）が１０００Å乃至３０００Åを有するように設定することによって、第１電極４１０と第２電極４５０との間に位置する発光層（ＥＬ層）である第３主発光層４４３と対応する有機発光層４４０、有機層４２０及び半透過層４３０を合計した第２厚さ（Ｔ２）が１０００Å以上となるため、有機発光層４４０が発光する青色光に暗点が生じることが抑制される。
【００５９】
なお、厚さの上限値を３０００Åとしたのは、下記の理由による。空振構造は基本的に厚さによって共振次数が決められる。１０００Å以下の１次共振、２０００〜３０００Åの２次共振、３０００Å以上となれば３次共振になる。ところが、共振次数が高くなるほど効率が減少するので、３次共振に行かない条件として３０００Å以下を上限としたのである。
【００６０】
以下、図７を参照して本発明の実施形態に係る有機発光表示装置の有機発光層４４０から発光される青色光の光効率及び色再現率が向上すると同時に、有機発光層４４０から発光する青色光に暗点が生じることが抑制されることを確認した実験例について説明する。以下で説明する各構成要素の厚さは括弧内の数字であり、厚さの単位はÅであることをまず明らかにする。
【００６１】
図７は本発明の実験例に係る有機発光表示装置における主要構成要素を示した断面図である。図７では青色光を発光する第３主発光層４４３を含む有機発光層４４０を基準に示した。
【００６２】
図７に示したように、本発明の実験例に係る有機発光表示装置は第１電極、有機層、半透過層、有機発光層及び第２電極を含む。
【００６３】
第１電極（Ａｇ  １０００Å、ＩＴＯ  ７０Å）上に第１正孔注入層（ＨＩＬ１  ４００Å）を含む有機層、半透過層［金属（ＭｇＡｇ）１２０Å］、有機発光層及び第２電極［負極（ＭｇＡｇ）１６０Å］が積層されており、有機発光層は第２正孔注入層（ＨＩＬ２  １００Å）、正孔輸送層（ＨＴＬ  １５０Å）、第３主発光層（ＥＭＬ  ２００Å）、電子輸送層（ＥＴＬ  ２５０Å）及び電子注入層（ＥＩＬ  ５Å）を含む。
【００６４】
このような本発明の実験例に係る有機発光表示装置は、第２正孔注入層（ＨＩＬ２  １００Å）、正孔輸送層（ＨＴＬ  １５０Å）、第３主発光層（ＥＭＬ  ２００Å）、電子輸送層（ＥＴＬ  ２５０Å）及び電子注入層（ＥＩＬ  ５Å）を含む有機発光層の厚さが、共振効果が具現される厚さである７００Åと実質的に類似する７０５Å有することによって、第３主発光層（ＥＭＬ  ２００Å）から発光する青色光の光効率及び色再現率が向上することを確認し、第１電極（Ａｇ  １０００Å、ＩＴＯ  ７０Å）と第２電極［負極（ＭｇＡｇ）１６０Å］との間に位置する第１正孔注入層（ＨＩＬ１  ４００Å）を含む有機層、半透過層［金属（ＭｇＡｇ）１２０Å］及び有機発光層７０５を合計した厚さが、暗点発生が抑制される厚さである１０００Å以上である１２２５Åを有することによって、第３主発光層（ＥＭＬ  ２００Å）から発光する青色光に暗点が生じないことを確認した。
【００６５】
前述の実験によって確認されたように、本発明の実施形態に係る有機発光表示装置は、第２電極４５０と半透過層４３０との間に第３主発光層４４３から発光する青色光が有する色の波長に対応する第１厚さ（Ｔ１）を有する共振構造が形成されると同時に、第１電極４１０と第２電極４５０との間に位置する第３主発光層４４３と対応する有機発光層４４０、有機層４２０及び半透過層４３０を合計した厚さが第２厚さ（Ｔ２）を有することによって、有機発光表示装置の光効率及び色再現率が向上すると同時に、有機発光層４４０が発光する青色光に暗点が生じることが抑制される。
【００６６】
以上、本発明を望ましい実施形態を参照して説明したが、本発明はこれに限定されず、特許請求の範囲の概念と範囲を逸脱しない限り、多様な修正及び変形が可能であることは当業者には簡単に理解できる。
【符号の説明】
【００６７】
１００  第１基板、
２００  第２基板、
３００  配線部、
４００  有機発光素子、
４１０  第１電極、
４２０  有機層、
４３０  半透過層、
４４０  有機発光層、
４５０  第２電極、
５００  シーラント。
【図１】
0005814019.tif 000002
【図２】
0005814019.tif 000003
【図３】
0005814019.tif 000004
【図４】
0005814019.tif 000005
【図５】
0005814019.tif 000006
【図６】
0005814019.tif 000007
【図７】
0005814019.tif 000008